(57)【要約】【課題】ランプの点灯時間による光束減退を補正し、省エネルギを図る放電灯点灯装置を提供する。【解決手段】放電灯と、放電灯を点灯させるとともに放電灯への供給電力を制御可能な放電灯点灯部と、放電灯点灯部への給電時間を放電灯の点灯時間として計時する点灯時間タイマーと、放電灯の点灯時間の経過に伴う光束低下を抑制するように点灯時間タイマーにより計時された点灯時間に応じて放電灯への供給電力を放電灯点灯部に指示する制御部を備える放電灯点灯装置において、前記放電灯点灯装置が放電灯を一定電力もしくは放電灯の定格電力で点灯する状態に達した後、光束低下を抑制するように点灯時間タイマーにより計時された点灯時間に応じて放電灯へ電力を供給する。【選択図】        図１
2006185924.tif 000002
【特許請求の範囲】
【請求項１】
放電灯と、放電灯を点灯させるとともに放電灯への供給電力を制御可能な放電灯点灯部と、放電灯点灯部への給電時間を放電灯の点灯時間として計時する点灯時間タイマーと、放電灯の点灯時間の経過に伴う光束低下を抑制するように点灯時間タイマーにより計時された点灯時間に応じて放電灯への供給電力を放電灯点灯部に指示する制御部を備える放電灯点灯装置において、前記放電灯点灯装置が放電灯を一定電力もしくは放電灯の定格電力で点灯する状態に達した後、光束低下を抑制するように点灯時間タイマーにより計時された点灯時間に応じて放電灯へ電力を供給する機能を有することを特徴とする放電灯点灯装置。
【請求項２】
放電灯と、放電灯を点灯させるとともに放電灯への供給電力を制御可能な放電灯点灯部と、放電灯点灯部への給電時間を放電灯の点灯時間として計時する点灯時間タイマーと、放電灯の点灯時間の経過に伴う光束低下を抑制するように点灯時間タイマーにより計時された点灯時間に応じて放電灯への供給電力を放電灯点灯部に指示する制御部を備える放電灯点灯装置において、前記放電灯点灯装置が放電灯を放電灯の定格電力で点灯する状態に達した後、その定格電力を放電灯へ供給する機能を有することを特徴とする放電灯点灯装置。
【請求項３】
放電灯と、放電灯を点灯させるとともに放電灯への供給電力を制御可能な放電灯点灯部と、放電灯点灯部への給電時間を放電灯の点灯時間として計時する点灯時間タイマーと、放電灯の点灯時間の経過に伴う光束低下を抑制するように点灯時間タイマーにより計時された点灯時間に応じて放電灯への供給電力を放電灯点灯部に指示する制御部を備える放電灯点灯装置において、前記放電灯点灯装置が放電灯を一定電力もしくは放電灯の定格電力で点灯する状態に達した後、放電灯を消灯もしくは調光する機能を有することを特徴とする放電灯点灯装置。
【請求項４】
放電灯と、放電灯を点灯させるとともに放電灯への供給電力を制御可能な放電灯点灯部と、放電灯点灯部への給電時間を放電灯の点灯時間として計時する点灯時間タイマーと、放電灯の点灯時間の経過に伴う光束低下を抑制するように点灯時間タイマーにより計時された点灯時間に応じて放電灯への供給電力を放電灯点灯部に指示する制御部を備える放電灯点灯装置において、前記放電灯点灯装置が放電灯を一定電力もしくは放電灯の定格電力で点灯する状態に達した後、放電灯を計時された点灯時間に応じて調光する機能を有することを特徴とする放電灯点灯装置。
【請求項５】
放電灯と、放電灯を点灯させるとともに放電灯への供給電力を制御可能な放電灯点灯部と、放電灯点灯部への給電時間を放電灯の点灯時間として計時する点灯時間タイマーと、放電灯の点灯時間の経過に伴う光束低下を抑制するように点灯時間タイマーにより計時された点灯時間に応じて放電灯への供給電力を放電灯点灯部に指示する制御部を備える放電灯点灯装置において、前記放電灯点灯装置が放電灯を一定電力もしくは放電灯の定格電力で点灯する状態に達した後、放電灯を計時された点灯時間に応じて別の光出力で照度補正する機能を有することを特徴とする放電灯点灯装置。
【請求項６】
放電灯と、放電灯を点灯させるとともに放電灯への供給電力を制御可能な放電灯点灯部と、放電灯点灯部への給電時間を放電灯の点灯時間として計時する点灯時間タイマーと、放電灯の点灯時間の経過に伴う光束低下を抑制するように点灯時間タイマーにより計時された点灯時間に応じて放電灯への供給電力を放電灯点灯部に指示する制御部を備える放電灯点灯装置において、放電灯の種類に応じて光束低下を抑制する補正カーブを変える機能を有することを特徴とする放電灯点灯装置。
【請求項７】
放電灯と、放電灯を点灯させるとともに放電灯への供給電力を制御可能な放電灯点灯部と、放電灯点灯部への給電時間を放電灯の点灯時間として計時する点灯時間タイマーと、放電灯の点灯時間の経過に伴う光束低下を抑制するように点灯時間タイマーにより計時された点灯時間に応じて放電灯への供給電力を放電灯点灯部に指示する制御部を備える多灯用放電灯点灯装置において、２種類以上の放電灯を点灯させている場合、各種類の放電灯の平均光束減退を演算して照度補正を行う機能を有することを特徴とする放電灯点灯装置。
【請求項８】
請求項１ないし５のいずれかに記載の放電灯点灯装置において、放電灯が平均寿命に達したこと、もしくは一定電力で点灯する状態に達したことを知らせる機能を有することを特徴とする放電灯点灯装置。
【発明の詳細な説明】
【技術分野】
【０００１】
本発明は放電灯への供給電力を点灯時間に応じて制御可能とした放電灯点灯装置に関するものである。
【背景技術】
【０００２】
一般に、照明用に用いられているランプ（以下、放電灯をランプと表現する。）の光束は使用時間の経過とともに低下する。ランプの使用時間の経過に伴う照度低下を抑制する技術を図２０に示す（特願平１１−１８０８８４号）。図２０に示すように、ランプとして放電灯１１を備え、放電灯１１は調光制御が可能な放電灯点灯装置１２の出力によって点灯する。商用電源のような電源ＡＣと放電灯点灯装置１２との間には放電灯点灯装置１２に通電されているか否かを検出する点灯時間検出部１３が設けられ、点灯時間検出部１３により検出された通電期間が点灯時間タイマー１４により計時されるようになっている。つまり、通電期間を放電灯１１の使用期間とみなして点灯時間タイマー１４により放電灯１１の使用時間を計時する。
【０００３】
ところで、ランプの光束は図２１（ａ）のように使用時間に伴って低下し、また、ランプを装着している灯具やランプが時間の経過に伴って汚れることによっても光量は低下するから、このような使用時間の経過に伴う光量低下を抑制するために照明装置１には照度補正装置１５が設けられている。ここで、放電灯１１の光束の低下は蛍光灯であれば蛍光体の劣化などが原因になる。照度補正装置１５は基本的には放電灯１１の使用時間の経過に伴う光束の低下を補正するように構成されているものであって、図２１（ｂ）のように放電灯１１の交換直後には放電灯１１を調光点灯させておき、放電灯１１の使用時間が経過するのに伴って放電灯１１を全点灯（定格点灯）に近付けるように、放電灯点灯装置１２を介して放電灯１１への供給電力を制御するものである。つまり、放電灯１１の使用時間の経過に伴って放電灯点灯装置１２の出力を増加させるのである。このように、放電灯１１の光束が使用時間の経過に伴って低下するのに対して、使用時間の経過に伴って放電灯１１への供給電力を増加させることで、図２１（ｃ）のように放電灯１１の光出力を略一定に保つことができるのである。
【０００４】
上述したように、本従来例では、たとえば照明器具という形で提供される照明装置１に、放電灯１１と放電灯点灯装置１２と点灯時間タイマー１４と照度補正装置１５とを一体に設けているから、電源ＡＣに接続する配線施工を行うだけで放電灯１１の使用時間の経過に伴う光束の低下を補正することができ、配線施工に関しては従来の照明器具と同様に扱うことができる。しかも、放電灯点灯装置１２と電源ＡＣとの間には点灯時間検出部１３が挿入されており、点灯時間検出部１３によって放電灯１１が点灯していると判断される期間のみを点灯時間タイマー１４が計時するから、放電灯１１の使用時間にほぼ一致した時間が点灯時間タイマー１４により検出されるのであって、放電灯１１の点灯・消灯が比較的短時間の間に繰り返されるような使用形態であっても、放電灯１１の使用時間を正確に計時することができる。
【０００５】
本従来例の動作をまとめると図２２のようになる。ここに、点灯時間タイマー１４は計時した時間を不揮発性メモリーに書き込む機能を有しており、電源投入（Ｓ１）の直後に点灯時間タイマー１４の初期設定処理（Ｓ２）が行われて点灯時間タイマー１４に不揮発性メモリーに書き込まれている点灯時間（つまり使用時間）が読み出される。こうして点灯時間タイマー１４に点灯時間がセットされると、照度補正装置１５では点灯時間タイマー１４から点灯時間を読み出し（Ｓ４）、読み出した使用時間に基づいて放電灯１１から所定の光出力が得られるように調光比を決定し（Ｓ５）、その調光比に応じた調光信号を出力する（Ｓ６）。この調光信号に従って放電灯点灯装置１２は放電灯１１への供給電力を決定する。次に、点灯時間タイマー１４は点灯時間（つまり使用時間）を計時し（Ｓ７）、計時後の点灯時間を不揮発性メモリーに格納する（Ｓ８）。以後は、不揮発性メモリーからの点灯時間の読み出しと調光制御と不揮発性メモリーへの点灯時間の書き込みとを繰り返すのである。
【０００６】
図２３に具体的な回路構成を示す。放電灯点灯装置１２にはインバータ回路を用いたものを採用している。すなわち、電源ＡＣを全波整流するダイオードブリッジよりなる整流器ＤＢ１を備え、整流器ＤＢ１の直流出力端間にはインダクタＬ１を介してＭＯＳＦＥＴよりなるスイッチング素子Ｑ３が接続される。さらに、スイッチング素子Ｑ３の両端間にはダイオードＤ１と平滑コンデンサＣ１との直列回路が接続され、この平滑コンデンサＣ１を電源としてインバータ回路が駆動されるようになっている。インバータ回路は、平滑コンデンサＣ１の両端間に接続されたＭＯＳＦＥＴからなる一対のスイッチング素子Ｑ１，Ｑ２の直列回路を備え、一方のスイッチング素子Ｑ２の両端間に、直流カット用のコンデンサＣ２と共振用のインダクタＬ２と放電灯１１との直列回路が接続された構成を有する。また、放電灯１１の両フィラメントの非電源側端間にはインダクタＬ２とともに共振回路を構成するコンデンサＣ３が接続される。スイッチング素子Ｑ１〜Ｑ３はインバータ制御部ＣＮ１により高周波でオン・オフされ、スイッチング素子Ｑ１，Ｑ２は交互にオン・オフされる。また、インバータ制御部ＣＮ１には照度補正装置１５からの調光信号が入力され、スイッチング素子Ｑ１，Ｑ２のオン・オフの周期（つまり動作周波数）を制御することによって、放電灯１１に供給する電力を調節するようになっている。
【０００７】
図２３に示すインバータ回路の動作は周知のものであって、インダクタＬ１とスイッチング素子Ｑ３とダイオードＤ１と平滑コンデンサＣ１とにより構成された昇圧チョッパ回路により整流器ＤＢ１からの出力電圧を昇圧し、スイッチング素子Ｑ１，Ｑ２を交互にオン・オフさせることによって放電灯１１に交番電流を流すのである。ここで、放電灯１１への給電経路にはインダクタＬ２およびコンデンサＣ３が存在するから、スイッチング素子Ｑ１，Ｑ２のオン・オフの周期（動作周波数）とインダクタＬ２およびコンデンサＣ３などによる共振周波数との関係によって、放電灯１１への供給エネルギを調節することができる。
【０００８】
点灯時間検出部１３は電源ＡＣの電圧を分圧する抵抗Ｒ１，Ｒ２の直列回路と、抵抗Ｒ２の両端電圧を全波整流するダイオードブリッジよりなる整流器ＤＢ２と、整流器ＤＢ２の出力電圧を平滑する平滑コンデンサＣ４とからなる。つまり、平滑コンデンサＣ４の両端電圧が規定電圧以上である期間を点灯時間タイマー１４が計時する。
【０００９】
照度補正装置１５は点灯時間タイマー１４とともにマイコンにより構成される。このマイコンには点灯時間タイマー１４による計時時間を読み書きするととともに照度補正装置１５において用いる補正用テーブルを格納したＥＥＰＲＯＭである不揮発性メモリー１７が設けられる。補正用テーブルは放電灯１１の使用時間と補正用の調光比とを対応付けたテーブルであって、照度補正装置１５に設けた調光比設定部１８において点灯時間タイマー１４により計時された使用時間を用いて不揮発性メモリー１７から調光比を読み出すことで、放電灯１１の光出力を略一定に保つための調光比を決定することができる。調光比設定部１８により決定した調光比は調光信号生成部１９に与えられ、インバータ制御部ＣＮ１に与える調光信号が生成される。ここにおいて、点灯時間タイマー１４、調光比設定部１８、調光信号生成部１９の電源は、平滑コンデンサＣ４の両端電圧を定電圧化する３端子レギュレータＩＣ１より供給される。
【００１０】
しかして、電源ＡＣが投入され平滑コンデンサＣ４の両端電圧が規定電圧に達すると、点灯時間タイマー１４は上述した初期設定処理を行って不揮発性メモリー１７から前回までの放電灯１１の使用時間を読み出した後、調光比設定部１８にこの使用時間を与える。調光比設定部１８では不揮発性メモリー１７に格納されている補正用テーブルに使用時間を照合し、使用時間に対応した調光比を読み出す。このようにして読み出された調光比は調光信号生成部１９に与えられ、インバータ回路の出力が制御される。また、点灯時間タイマー１４では使用時間を計時し、計時後の時間を不揮発性メモリー１７に格納する。以後は、電源ＡＣが供給されている期間には、使用時間を不揮発性メモリー１７から読み出して新たな使用時間を不揮発性メモリー１７に書き込むまでの動作を繰り返し、使用時間に応じて放電灯１１への供給電力を調節するのである。
【００１１】
調光信号生成部１９からインバータ制御部ＣＮ１に与える調光信号には各種形態を採用することができ、本例では周波数が１ｋＨｚで振幅が５Ｖである矩形波信号のデューティ比によって調光比を表す信号を使用することを想定しているが、たとえば０〜１０Ｖの直流電圧で調光比を与えるような調光信号を用いることも可能である。本例における調光信号では、デューティ比に対する放電灯１１の光束比（定格電力を与えたときの光束を１００％とするときの光束の比率）を図２４のように設定してある。つまり、調光信号のオン期間が短いほど放電灯点灯装置１２の出力が大きくなるように設定してある。
【００１２】
ここで、本従来例における補正用テーブルの具体的な設定例を示す。放電灯１１として照明用に一般に用いられている蛍光灯では、寿命初期（ランプの交換直後）の光束を１００％とすると寿命末期の光束は７０％程度に低下することが知られている。つまり、寿命初期において放電灯点灯装置１２の出力を定格出力の７０％程度に設定しておき、寿命末期においては出力を１００％に引き上げれば、放電灯１１の光出力を使用時間にかかわらず略一定に保つことが可能であると考えられる。また、このような制御を行えば、放電灯点灯装置１２の出力を定格出力に対して１１０％以上にする必要がなく、寿命初期においては消費電力を抑制することができて省エネルギになる。
【００１３】
しかして、放電灯点灯装置１２の出力を定格出力の７０％として放電灯１１の光束の経過時間に伴う推移を示すと図２５（ａ）のようになり、１２０００時間での光束は約６０％になり寿命初期時から約９．８％の減少になる。そこで、放電灯点灯装置１２の出力を図２５（ｂ）のように時間経過に伴って光束の減少分だけ増加させると、放電灯１１の光束は経過時間（つまり使用時間）にかかわらず略一定に保たれるのである。ここに、放電灯点灯装置１２の出力を図２５（ｂ）のように制御するには、図２５（ｂ）の各時間における光束比に対応するデューティ比を図２４に示した関係によって求め、各時間において求めたデューティ比に相当する調光比を図２５（ｃ）のごとく補正用テーブルとして不揮発性メモリー１７に格納しておけばよい。
【００１４】
図示例において、点灯時間が０時間、４０００時間、８０００時間、１２０００時間、１６０００時間であるときの各時間における光束比、光束の減少率、放電灯点灯装置１２の出力比、調光信号のデューティ比は、表１のようになる。
【００１５】
【表１】
2006185924.tif 000003
【００１６】
表１に示した点灯時間とデューティ比との関係を不揮発性メモリー１７に補正用テーブルとして格納しておき、点灯時間タイマー１４により計時された点灯時間に応じてデューティ比を読み出して放電灯点灯装置１１に与えることにより、点灯時間によらず光出力を略一定（定格出力の約７０％）に保つことができるのである。
【００１７】
なお、本従来例では照明装置１を１台の照明器具とし、放電灯点灯装置１２を備えるユニットＵ１（図２３参照）と、点灯時間検出部１３、点灯時間タイマー１４、照度補正装置１５を備えるユニットＵ２とに分割して２枚の回路基板に実装して照明装置１に組み込んでいるが、両者を１つのユニットにまとめてもよい。１つのユニットにまとめると１枚の回路基板に実装することが可能になり、調光信号生成部１９とインバータ制御部ＣＮ１とを接続する接続線が不要になる。また２つのユニットＵ１，Ｕ２を設ける場合に比較すると、回路基板の枚数が少なくなって照明装置（照明器具）１の省スぺース化が可能になり、しかも部品（基板や筐体）の低減による低コスト化ないし組立の容易化を図ることができる。上述した放電灯点灯装置１２の構成例は一例であって、調光制御が可能な構成であれば他の構成を用いることもできる。
【００１８】
（従来例２）
図２６は従来例１と同じ特願平１１−１８０８８４号に示されている放電灯点灯装置の回路図であり、その動作を図２７のフローチャートに示す。本従来例は、図２６に示すように、機械的に操作されるリセットスイッチＳＷ３によって点灯時間をリセットできるようにしたものである。つまり、リセットスイッチＳＷ３をリセット制御部２２に接続してあり、エミレス状態や無負荷状態の有無には関係なく点灯時間をリセットすることができるようにしてある。リセットスイッチＳＷ３の両端にはリセット制御部２２によって、たとえば５Ｖの電圧が印加されており、リセットスイッチＳＷ３には抵抗Ｒ３が直列接続されていて、リセットスイッチＳＷ３がオンになると無負荷状態の検出時と同様にリセット制御部２２への入力電圧が引き下げられ、点灯時間タイマー１４と不揮発性メモリー１７の点灯時間をリセットするようになっている。このリセットスイッチＳＷ３は手動で操作するものでもよいし、また、放電灯１１の着脱に連動して操作されるものであってもよい。
【００１９】
しかして、図２７に示すように、リセットスイッチＳＷ３の操作によるリセット信号がリセット制御部２２に入力されると（Ｓ３）、点灯時間タイマー１４および不揮発性メモリー１７における点灯時間がリセットされるのである（Ｓ９）。本従来例の構成では、リセットスイッチＳＷ３の操作によって点灯時間を任意にリセットすることができる。しかも、リセット制御部２２に加えてリセットスイッチＳＷ３を設けるだけの簡単な構成で点灯時間のリセットが可能になる。他の構成および動作は従来例１と同様である。
【特許文献１】特開２０００−２００６９１号公報
【発明の開示】
【発明が解決しようとする課題】
【００２０】
上述のような放電灯点灯装置は、ランプの初期の余剰光束を抑え、調光点灯することにより、省エネルギを図ることを目的している。しかし、ランプの点灯条件が全点灯状態に達した後は何ら制御されていない。以下に従来例での問題を挙げる。
【００２１】
１）放電灯は寿命末期には全点灯状態になるが、これは、図２８Ａのように、放電灯が平均寿命に達したとき、もしくは、図２８Ｂのように、一定電力か、ランプの定格電力印加状態に達した時であり、その後は、省エネ効果が得られなくなるが、従来例では、そのことを知らせる機能がない。
【００２２】
２）上記状態に達した後の制御についても従来例では考慮されていない。ランプの個々の寿命はランプ個々にばらつきがあり、平均寿命もランプの光束減退、フィラメント切れなど、諸特性のどれかを満たさなくなった状態の割合で決めている場合が多く、必ずしも平均寿命でランプが寿命に至ることはない。このように考えると、上記放電灯が平均寿命に達したとき、もしくは一定電力か、ランプの定格電力印加状態に達した後（図２８Ｃ参照）に、以下のような制御が必要になってくる。
【００２３】
ａ）快適性を保つ為、光束を一定に保つ。
ｂ）便宜性と省エネ性を保つ為、消費電力を一定に保つ。
ｃ）さらに省エネ性を保ちランプの点灯条件が全点灯状態に達した後であることが解るような点灯をする。
ｄ）快適性と省エネ性を満足できなくなった為、ランプを消灯させる。
快適性と省エネ性を追求するこのような放電灯点灯装置の場合、上記のような考慮も必要である。
【００２４】
３）ランプの種類により、光束の減退には図２９に示すような違いがあり、たとえば、白色の蛍光ランプを照度補正する照度補正カーブにて昼白色や電球色などのランプを点灯させると、図３０のように時間とともに光束に過不足が生じ、設計照度が得られなくなり、快適性が損なわれたりする問題がある。
【００２５】
４）上記３）のような放電灯点灯装置が多灯用の場合、放電灯点灯装置に装着されるランプが異なる光束減退カーブを有する場合、多灯間の光バラツキが気になり、快適性が損なわれたりする。
【００２６】
本発明はこのような問題点に着目してランプの点灯時間による光束減退を補正し、省エネを図る放電灯点灯装置を提供することを課題とする。
【課題を解決するための手段】
【００２７】
本発明の放電灯点灯装置によれば、上記の課題を解決するために、図２０に示すように、放電灯１１と、放電灯１１を点灯させるとともに放電灯１１への供給電力を制御可能な放電灯点灯部１２と、放電灯点灯部１２への給電時間を放電灯１１の点灯時間として計時する点灯時間タイマー１４と、放電灯１１の点灯時間の経過に伴う光束低下を抑制するように点灯時間タイマー１４により計時された点灯時間に応じて放電灯１１への供給電力を放電灯点灯部１２に指示する制御部１５を備える放電灯点灯装置において、前記放電灯点灯装置が放電灯１１を一定電力もしくは放電灯１１の定格電力で点灯する状態に達した後、光束低下を抑制するように点灯時間タイマー１４により計時された点灯時間に応じて放電灯１１へ電力を供給する機能を有することを特徴とするものである。
【発明の効果】
【００２８】
本発明によれば、放電灯を一定電力（例えば定格電力）で点灯する状態に達した後の制御として、快適性を保つ為に光束を一定に保つ点灯制御、あるいは、便宜性と省エネ性を保つ為に消費電力を一定に保つ制御、あるいは、省エネ性を保ちながらランプの点灯条件が全点灯状態に達した後が解るような点灯制御をすることにより、快適性や省エネ性を追求した放電灯点灯装置を提供することが出来る。また、快適性と省エネ性を満足できなくなった為、ランプを消灯させるようにすれば、ユーザーにランプ交換を促すことが出来る。さらに、ランプの種類により、照度補正カーブを変えたり、異なる種類のランプを同時に点灯させた場合に異種のランプの中間の光束減退を演算して照度補正することにより、時間とともに光束に過不足が生じ、設計照度が得られなくなるのを防いだり、快適性が損なわれたりすることを抑えた放電灯点灯装置を提供することが出来る。
【発明を実施するための最良の形態】
【００２９】
（実施形態１）
図１は本発明の実施形態１の動作を示すフローチャートである。本実施形態の回路図は従来例で述べた図２６と同様であり、図２６において回路を構成しているマイコンの動作を図１のように設計するものである。図１のフローでは、図２７の従来例と比較すると、点灯時間を判断する機能（Ｓ１０）と、点灯時間が平均寿命に達しているときには放電灯を全点灯状態と調光状態とに１秒ごとに切り替える動作を１分間繰り返す機能（Ｓ１１）とが加わったものである。すなわち、使用者が電源を入れたことにより、マイコンが点灯時間を読み取り、放電灯が平均寿命に達しているときには、そのことを知らせるために放電灯を全点灯状態と調光状態とに切り替えながら点灯させるものである。この平均寿命に達しているときとは、図２８のＡで示す状態である。全点灯状態と調光状態とで交互に点灯させる方法としては、例えば、調光比設定部にある最低調光比と全点灯状態とを交互に一定時間繰り返すことにより実現できる。
本実施形態では、放電灯が平均寿命になった時に上記の動作を行うように構成しているが、同様に図２８のＢで示すように、放電灯を定格出力で点灯させる状態になった時に上記の動作を行うようにしても良い。
【００３０】
この場合、使用者が電源を入れて、放電灯が全点灯状態と調光状態とを交互に繰り返す動作を行うことにより、使用者は、「省エネ点灯できない状態になったこと」、また、「今後は初期照度補正が行われないこと」、さらに、「ランプの寿命が近いこと」を知ることが出来る。
【００３１】
なお、上記の放電灯を全点灯状態と調光状態とで交互に点灯させる動作に代えて、放電灯を点灯状態と消灯状態に交互に切り替えて、点滅状態にしても良い。
【００３２】
図２は本実施形態の一変形例の動作を示すフローチャートである。図１に示すフローチャートに比べると、平均寿命に達しているか否かの判定機能（Ｓ１０）と、平均寿命に達している場合のお知らせ機能（Ｓ１１）を電源投入直後にのみ実施する点が異なる。
【００３３】
（実施形態２）
本発明の実施形態２の回路図を図３に示す。本実施形態では、制御電源（コンデンサＣ４）を電源とし、スイッチ素子ＳＷ４、抵抗Ｒ６、モニターランプ１６からなるモニターランプ点灯回路を設けた点以外は図２６と同じ構成である。モニターランプ点灯回路は、放電灯１１が定格電力で点灯する時間に達すると、マイコンからの出力がＨＩＧＨとなることによりスイッチ素子ＳＷ４をＯＮにしてモニターランプを点灯し、使用者に知らせるものである。図４に本実施形態の動作フローを示す。
【００３４】
実施形態１と同様、放電灯が平均寿命に達したときにモニターランプ１６を点灯することにより知らせるものである。このようにすることにより、使用者は「省エネ点灯できない状態になったこと」、「今後は初期照度補正が行われないこと」、「ランプの寿命が近いこと」を知ることが出来る。
【００３５】
（実施形態３）
図５は本発明の実施形態３の放電灯安定器の特性を示すものである。本実施形態は、放電灯が定格電力で点灯する時間に至った後の制御についての実施形態である。すなわち、放電灯が定格電力で点灯する時間に至った後にも放電灯の光束減退が進むため、それを補うように放電灯安定器の出力を増加させるものである。この場合、放電灯点灯装置は放電灯の定格以上に出力を出すため、定格電力で点灯する時間に至った後は一般の照度補正をかけない安定器よりも出力を出すことになる。しかし、初期照度補正が保たれているため、図６に示すように、点灯時間が経過しても照度の減退は起こらない。
【００３６】
本実施形態の回路および動作フローは先の実施形態（図３および図４）のものと同じで良い。ただし、マイコンの調光信号設定部に、表２に示すように、放電灯の定格以上の照度補正データを決めておく必要がある。また、放電灯点灯装置も放電灯の定格以上の出力を出せるようにしなければならない。このように放電灯が定格電力で点灯する時間に至った後も放電灯の定格以上の照度補正データを決めておくことにより、照度補正が続行される安定器を提供することが出来る。
【００３７】
【表２】
2006185924.tif 000004
【００３８】
（実施形態４）
図７は本発明の実施形態４の放電灯安定器の特性を示すものである。本実施形態も放電灯が定格電力で点灯する時間に至った後の制御についての実施形態である。本実施形態では、放電灯が定格電力で点灯する時間に至った後は、放電灯への供給電力が定格電力状態で一定となるように制御される。したがって、図８に示すように、時間の経過に伴い、光束減退が進むが、供給電力が一定のため、光出力は徐々に低下する。
【００３９】
本実施形態での回路および動作フローも先の実施形態（図３および図４）のものと同様で良い。ただし、マイコンの調光信号設定部に、表３に示すように放電灯の照度補正データを決めておく必要がある。
【００４０】
【表３】
2006185924.tif 000005
【００４１】
（実施形態５）
図９は本発明の実施形態５の放電灯安定器の特性を示すものである。本実施形態も放電灯が定格電力で点灯する時間に至った後の制御についての実施形態である。本実施形態では、放電灯が定格電力で点灯する時間に至った後は放電灯への供給電力を定格電力から徐々に下げて行く。同時に時間に伴い放電灯そのものの光束減退も進むため、図１０に示すように、時間の経過に伴い光出力は急激に低下する。しかし、消費電力が実施形態３または４に比べて少なくなるので、更なる省エネを行うことが出来る。光出力を急激に低下させるのは使用者にランプの交換時期を知らせるとともに、最低限の光を保持するための便宜である。
【００４２】
本実施形態での回路および動作フローも先の実施形態（図３および図４）のものと同様で良い。ただし、マイコンの調光信号設定部に、表４に示すように放電灯の照度補正データを決めておく必要がある。
【００４３】
【表４】
2006185924.tif 000006
【００４４】
本実施形態の一変形例を図１１と図１２に示す。この例では、放電灯が定格電力で点灯する時間に至った後、放電灯への供給電力を定格電力よりも低い所定のレベルに低下させて、そのレベルから更に時間の経過と共に徐々に低下させて行く。この場合、光出力が急に低下することで、使用者にランプの交換時期を分かりやすく知らせることができるとともに、最低限の光を保持することができる。
【００４５】
本実施形態の他の変形例を図１３と図１４に示す。この例では、放電灯が定格電力で点灯する時間に至った後、放電灯を消灯させるものである。この場合、光出力が全く無くなるので、使用者にランプの交換を促すことができる。
【００４６】
（実施形態６）
本発明の実施形態６の回路図を図１５に示す。本実施形態では図３に示した回路にランプ判別機能を付加したものである。スイッチＳＷ５、ＳＷ６、及び抵抗Ｒ５、Ｒ６はマイコンのランプ判別部２１に接続されており、スイッチＳＷ５、ＳＷ６のＯＮ・ＯＦＦでランプを判別するものである。スイッチＳＷ５、ＳＷ６が共にＯＮであれば白色ランプ、スイッチＳＷ５がＯＮ、スイッチＳＷ６がＯＦＦであれば昼光色ランプ、スイッチＳＷ５、ＳＷ６が共にＯＦＦであれば電球色ランプのように決めておくことにより、ランプの種類を判別することができる。そして、マイコンの調光比設定部１８に予めこれらのランプの点灯時間による照度補正の調光比を設定しておくことにより、ランプの種別に適合した照度補正を行うことが出来る。図１６に本実施形態の動作フローを示す。
【００４７】
（実施形態７）
本発明の実施形態７の回路図を図１７に示す。本実施形態は放電灯のランプ種別を放電灯の初期の照度・輝度の検出結果により判別するものである。放電灯の近傍に設けた照度もしくは輝度センサ２３により放電灯の初期の照度もしくは輝度を検知し、その検出値により、マイコンのランプ判別部２１により放電灯を判別するものである。センサ２３の出力がアナログ値である場合にはＡ／Ｄ変換をした後に、ランプ判別部２１にデータが入力される。動作フローは図１６と同様である。このように、照度もしくは輝度センサ２３を用いることで、ランプ交換時に自動的に放電灯のランプ種別を判別でき、尚且つ放電灯のランプ種別に適合した照度補正を行うことが出来る。
【００４８】
（実施形態８）
本発明の実施形態８の回路図を図１８に示す。本実施形態では２灯用の放電灯点灯装置において、実施形態６のランプ判別スイッチＳＷ５、ＳＷ６のほかに、もう一組のランプ判別スイッチＳＷ７、ＳＷ８を設けたものである。第１のランプ判別スイッチＳＷ５、ＳＷ６で第１のランプ、第２のランプ判別スイッチＳＷ７、ＳＷ８で第２のランプの種類を判別をするものである。ここでも、スイッチＳＷ７、ＳＷ８が共にＯＮであれば白色ランプ、スイッチＳＷ７がＯＮ、スイッチＳＷ８がＯＦＦであれば昼光色ランプ、スイッチＳＷ７、ＳＷ８が共にＯＦＦであれば電球色ランプのように決めておくことにより、ランプの種類を判別することができる。そして、マイコンの調光比設定部１８に予めこれらのランプの点灯時間による照度補正の調光比を設定しておくことにより、判別されたランプの種別に適合した照度補正を行うことが出来る。図１９に本実施形態の動作フローを示す。
【００４９】
表５にその補正値を示す。異なる２種類のランプが装着された場合、表５に示すように両方のランプの中間の光束比を求めることにより照度補正カーブを導き出し、照度補正を行う。このことにより異種のランプが装着されても光出力と照度補正をばらつきが少なく行うことが出来る。
【００５０】
【表５】
2006185924.tif 000007
【図面の簡単な説明】
【００５１】
【図１】本発明の実施形態１の動作を示すフローチャートである。
【図２】本発明の実施形態１の一変形例の動作を示すフローチャートである。
【図３】本発明の実施形態２の回路図である。
【図４】本発明の実施形態２の動作を示すフローチャートである。
【図５】本発明の実施形態３のランプ印加電力の時間的変化を示す特性図である。
【図６】本発明の実施形態３のランプ光出力比の時間的変化を示す特性図である。
【図７】本発明の実施形態４のランプ印加電力の時間的変化を示す特性図である。
【図８】本発明の実施形態４のランプ光出力比の時間的変化を示す特性図である。
【図９】本発明の実施形態５のランプ印加電力の時間的変化を示す特性図である。
【図１０】本発明の実施形態５のランプ光出力比の時間的変化を示す特性図である。
【図１１】本発明の実施形態５の一変形例のランプ印加電力の時間的変化を示す特性図である。
【図１２】本発明の実施形態５の一変形例のランプ光出力比の時間的変化を示す特性図である。
【図１３】本発明の実施形態５の他の変形例のランプ印加電力の時間的変化を示す特性図である。
【図１４】本発明の実施形態５の他の変形例のランプ光出力比の時間的変化を示す特性図である。
【図１５】本発明の実施形態６の回路図である。
【図１６】本発明の実施形態６の動作を示すフローチャートである。
【図１７】本発明の実施形態７の回路図である。
【図１８】本発明の実施形態８の回路図である。
【図１９】本発明の実施形態８の動作を示すフローチャートである。
【図２０】従来例の概略構成を示すブロック図である。
【図２１】従来例におけるランプの光束、点灯装置出力、光出力の時間的変化を示す説明図である。
【図２２】従来例の動作を示すフローチャートである。
【図２３】従来例の詳細な構成を示す回路図である。
【図２４】従来例における調光信号のデューティ比と光出力比の関係を示す説明図である。
【図２５】従来例におけるランプの光束比、点灯装置の出力比、調光信号のデューティ比の時間的変化を示す説明図である。
【図２６】他の従来例の回路図である。
【図２７】図２６の従来例の動作を示すフローチャートである。
【図２８】図２６の従来例のランプ印加電力の時間的変化を示す特性図である。
【図２９】ランプの種類による光束の減退特性の違いを示す説明図である。
【図３０】ランプの種類による照度補正されたランプ光束の時間的変化を示す説明図である。
【符号の説明】
【００５２】
１１    放電灯
１２    放電灯点灯装置
１３    点灯時間検出部
１４    点灯時間タイマー
１５    照度補正装置
【図１】
2006185924.tif 000008
【図２】
2006185924.tif 000009
【図３】
2006185924.tif 000010
【図４】
2006185924.tif 000011
【図５】
2006185924.tif 000012
【図６】
2006185924.tif 000013
【図７】
2006185924.tif 000014
【図８】
2006185924.tif 000015
【図９】
2006185924.tif 000016
【図１０】
2006185924.tif 000017
【図１１】
2006185924.tif 000018
【図１２】
2006185924.tif 000019
【図１３】
2006185924.tif 000020
【図１４】
2006185924.tif 000021
【図１５】
2006185924.tif 000022
【図１６】
2006185924.tif 000023
【図１７】
2006185924.tif 000024
【図１８】
2006185924.tif 000025
【図１９】
2006185924.tif 000026
【図２０】
2006185924.tif 000027
【図２１】
2006185924.tif 000028
【図２２】
2006185924.tif 000029
【図２３】
2006185924.tif 000030
【図２４】
2006185924.tif 000031
【図２５】
2006185924.tif 000032
【図２６】
2006185924.tif 000033
【図２７】
2006185924.tif 000034
【図２８】
2006185924.tif 000035
【図２９】
2006185924.tif 000036
【図３０】
2006185924.tif 000037